(57)【特許請求の範囲】
【請求項１】
床パンの端縁部分におけるコーナー部で１対の壁パネルを直交させると共に側端部同士を隣接させて配置し、１対の壁パネルの裏側に縦方向に亙る板状のジョイナーを上下スライド自在に配置し、上記ジョイナーを１対の壁パネルのうち一方の壁パネルに設けた仮係合手段を介して一方の壁パネルに仮止めし、上記仮止めしたジョイナーをスライド下降させて１対の壁パネルにそれぞれ設けた本係合手段に本係合させ、上記本係合したジョイナーで上記１対の壁パネルを連結させた壁パネルの接続構造において、接続ブロックの後端に設けた引掛けフックを床パン周縁の起立片に上方から被せるように係合させて上記接続ブロックを床パン上に載置固定し、上記接続ブロックの前部の左右両端部に上方に突出した接続突起を設け、上記接続突起の後方に凹溝を介在させて倒れ防止突起を設けると共に、この倒れ防止突起を引掛けフックより上方に突出させて形成し、１対の壁パネルの側端部を縦枠で構成し、縦枠を構成する側片、裏片及びフランジ片で囲う内部空間に各接続突起を嵌めて上記１対の壁パネルの下端同士を連結し、一方の壁パネルの裏側に仮止めしたジョイナーの下端を上記倒れ防止突起の前側に位置させ、１対の壁パネルに本係合したジョイナーの下端を壁パネルの側端部の裏片と共に凹溝内に位置させ、ジョイナーの下端と壁パネルの側端部とを一緒に接続突起と倒れ防止突起とで挟持したことを特徴とする壁パネルの接続構造。
【請求項２】
上記倒れ防止突起の上部には上端に行く程裏方に位置するような傾斜面を設けたことを特徴とする請求項１に記載の壁パネルの接続構造。
【発明の詳細な説明】
【０００１】
【発明の属する技術分野】
本発明は、床パンの端縁部分におけるコーナー部に直交させて隣接配置させた１対の壁パネルの側端部同士を接続する壁パネルの接続構造に関する発明である。
【０００２】
【従来の技術】
従来から、床パンの端縁部分のコーナー部分に隣接して立設させた１対の壁パネルの側端部同士を接続する壁パネルの接続構造としては、図９に示すようなものがあった。これは、Ｌ型アングル状のジョイナー１４’を１対の壁パネル１の側端部に合わせて配置すると共に上記ジョイナー１４’と１対の壁パネル１とをビス止めして行わせたものである。この壁パネルの接続構造にあっては、壁パネル１の裏側で施工作業を行うことが要求されるものであり、建物躯体の壁体に沿わせて壁パネル１を立設させるような場合には採用することができないものであった。
【０００３】
【発明が解決しようとする課題】
しかして、本発明者は、図１０，１１に示すように、１対の壁パネル１の前面側での施工作業によって１対の壁パネル１の接続を行い得るような壁パネルの接続構造を考案するに至った。これは、縦方向に亙る金属板状でその左右両端に係合フック１５を上下に亙って複数列設させたジョイナー１４を用いると共に、１対の壁パネル１の側端部の縦枠５における裏片７に上下に長い係合孔９を形成し、上記ジョイナー１４の係合フック１５を上記係合孔９に係合させて１対の壁パネル１を接続するものである。ここで、ジョイナー１４の左右に並設した係合フック１５のうち一方の係合フック１５を他方の係合フック１５より上下に長く形成した長係合フック１５ａで構成すると共に他方の係合フック１５を短係合フック１５ｂで構成し、上記長係合フック１５ａを一方の壁パネル１の係合孔９に軽く引掛けて仮係合させ得るようにしてあり、つまり、一方の壁パネル１の裏側において長係合フック１５ａと係合孔９との仮係合でジョイナー１４を仮止めし［図７（ａ）参照］、上記一方の壁パネル１に仮止めしたジョイナー１４に他方の壁パネル１を近接させ、このとき、上記ジョイナー１４の短係合フック１５ｂが他方の壁パネル１の係合孔９に挿入され［図７（ｂ）参照］、最後にジョイナー１４をスライド下降させて係合フック１５と係合孔９との本係合を行わせ（図８参照）、１対の壁パネル１を連結させ得るようにしたものである。なお、隣接配置した１対の壁パネル１はその下端にあっては接続ブロック１１によって接続されている。ここで、上記接続ブロック１１は床パン２の外周部に亙って立設した起立片１７に引掛けフック１２を係合させて床パン２の端縁部分３におけるコーナー部に載置固定されたものであって、接続ブロック１１の左右両端で上方に突設させた１対の接続突起１３を壁パネル１の縦枠５下端に嵌めることで１対の壁パネル１の下端での接続が為されている。
【０００４】
しかしながら、上記施工において一方の壁パネル１に仮止めしたジョイナー１４に他方の壁パネル１を近接させる際に、他方の壁パネル１をジョイナー１４に強く裏方に押し込んでしまうと、ジョイナー１４がジョイナー１４の長係合フック１５ａと一方の壁パネル１の係合孔９との仮係合部分を中心にした回動をしてしまってジョイナー１４が一方の壁パネル１から外れてしまったりするといった問題があった。これは特に、他方の壁パネル１の配置位置が作業位置である前面側から目測しにくいといった理由から、床パン２の端縁部分３のコーナー部における１対の壁パネル１を直交するように配置する場合に問題となるものであった。
【０００５】
本発明は上記の点に鑑みてなされたものであり、床パンの端縁部分におけるコーナー部に直交させるように配置させる１対の壁パネルにおいて、一方の壁パネルに仮止めしたジョイナーに他方の壁パネルを近接させる施工作業で、仮止めしたジョイナーの外れを防止させて施工性の向上を図った壁パネルの接続構造を提供することを課題とするものである。
【０００６】
【課題を解決するための手段】
上記課題を解決するために本発明の請求項１に係る壁パネルの接続構造は、床パン２の端縁部分３におけるコーナー部で１対の壁パネル１を直交させると共に側端部同士を隣接させて配置し、１対の壁パネル１の裏側に縦方向に亙る板状のジョイナー１４を上下スライド自在に配置し、上記ジョイナー１４を１対の壁パネル１のうち一方の壁パネル１に設けた仮係合手段を介して一方の壁パネル１に仮止めし、上記仮止めしたジョイナー１４をスライド下降させて１対の壁パネル１にそれぞれ設けた本係合手段に本係合させ、上記本係合したジョイナー１４で上記１対の壁パネル１を連結させた壁パネルの接続構造において、接続ブロック１１の後端に設けた引掛けフック１２を床パン２周縁の起立片１７に上方から被せるように係合させて上記接続ブロック１１を床パン２上に載置固定し、接続ブロック１１の前部の左右両端部に上方に突出した接続突起１３を設け、上記接続突起１３の後方に凹溝２７を介在させて倒れ防止突起１６を設けると共に、この倒れ防止突起１６を引掛けフック１２より上方に突出させて形成し、１対の壁パネル１の側端部を縦枠５で構成し、縦枠５を構成する側片６、裏片７及びフランジ片８で囲う内部空間２９に各接続突起１３を嵌めて上記１対の壁パネル１の下端同士を連結し、一方の壁パネル１の裏側に仮止めしたジョイナー１４の下端を上記倒れ防止突起１６の前側に位置させ、１対の壁パネル１に本係合したジョイナー１４の下端を壁パネル１の側端部の裏片７と共に凹溝２７内に位置させ、ジョイナー１４の下端と壁パネル１の側端部とを一緒に接続突起１３と倒れ防止突起１６とで挟持したことを特徴とする。これにより、接続ブロック１１はその前部の左右両端部に上方に突出した接続突起１３を設け、上記接続突起１３の後方に凹溝２７を介在させて引掛けフック１２より上方に突出させた倒れ防止突起１６を設けてあり、また壁パネル１の側端部は側片６、裏片７及びフランジ片８で構成された縦枠５で形成されているので、一方の壁パネル１の裏側にジョイナー１４を仮止めした場合には、ジョイナー１４の下端を上記倒れ防止突起１６の前側に位置させたことで、仮止めしたジョイナー１４に他方の壁パネル１を近接させた際に施工作業者が目測を誤って他方の壁パネル１をジョイナー１４に対して裏方に強く押し込んでしまっても、上記ジョイナー１４はその下端が上記倒れ防止突起１６に当接され、つまり倒れ防止突起１６がジョイナー１４の裏方への移動規制をするストッパーとして機能するものであるから、上記一方の壁パネル１に仮止めされたジョイナー１４がその仮止めされた部分を中心とした回動をしてしまって上記ジョイナー１４が一方の壁パネル１から外れてしまうといったことが防止されるものであり、また、１対の壁パネル１にジョイナー１４を本係合した場合には、ジョイナー１４の下端を壁パネル１の側端部の裏片７と共に凹溝２７内に位置させ、ジョイナー１４の下端と壁パネル１の側端部とを一緒に接続突起１３と倒れ防止突起１６とで挟持できるのである。
【０００７】
また、本発明の請求項２に係る壁パネルの接続構造は、請求項１において、上記倒れ防止突起１６の上部には上端に行く程裏方に位置するような傾斜面２５を設けたことを特徴とする。これにより、一方の壁パネル１にジョイナー１４を仮止めする際に上記ジョイナー１４の下端を接続ブロック１１の凹溝２７に位置させるにあたって、ジョイナー１４の下端を倒れ防止突起１６の傾斜面２５に沿わせて上方から下方にスライドさせてジョイナー１４の下端を倒れ防止突起１６の前面側にスムーズに配置させることができる。
【０００８】
【発明の実施の形態】
以下、本発明を添付図面に示す実施形態に基づいて説明する。
【０００９】
図１乃至図７に本発明の実施の形態の例を示す。床パン２の端縁部分３は床パン２の中央部分に比べて１段上方にあるように台状に形成され、上記床パン２の外周部分には全周に亙る起立片１７が形成されている。上記床パン２を利用したバスルーム等のユニットルームでは、上記床パン２の周縁部分に壁面を形成するものであるが、上記壁面は床パン２の台状の端縁部分３に載置して立設させた複数枚の壁パネル１により形成される。壁パネル１はその側端部同士を隣接させるように配置されるが、上記隣接配置した１対の壁パネル１は裏面同士をジョイナー１４で、また下端同士を接続ブロック１１でそれぞれ接続させるものである。ここで、請求項１で規定したジョイナー１４と１対の壁パネル１との接続の際の仮係合及び本係合とは、先に本発明者が考案した壁パネルの接続構造と同様に、ジョイナー１４の左右に上下に亙って列設させた複数個の係合フック１５を長係合フック１５ａ及び短係合フック１５ｂで構成させると共に壁パネル１の縦枠５の裏片７に上下に長い矩形状孔である係合孔９を設け、ジョイナー１４の上下スライドにより係合フック１５を係合孔９に２段階に係合させることで為されるものである。また、本発明は、床パン２の端縁部分３におけるコーナー部分に直交させて配置した１対の壁パネル１を接合する際に利点があることから、下記には、上記床パン２の端縁部分３におけるコーナー部分に直交させて配置した１対の壁パネルの接続構造について述べるものとする。
【００１０】
本例の壁パネル１及びジョイナー１４にあっては先に本発明者が考案した技術の例で用いたものと同様のものを用いている。壁パネル１は、金属板の中央部分の裏面に断熱材３１を付設すると共にその両側端部で上記金属板を折り曲げて縦枠５を形成して構成されている。この縦枠５は、側方に面する側片６と、上記側片６の裏端から略直角に内方に折れて形成された裏片７と、上記裏片７の内方端部から略直角に前方に折れて形成されたフランジ片８とを有して構成されている（図６）。この縦枠５は壁パネル１の略上下方向に亙って形成されているが、その裏片７には上下方向に長い矩形状孔の係合孔９が上下に一定の間隔に複数個列設されている。
【００１１】
ジョイナー１４は、上記床パン２の端縁部分３におけるコーナー部分に直交させて配置した１対の壁パネル１のそれぞれの裏面に対向させるように１対の裏片対向面１８を両端に設けた縦方向に亙る金属板である。このジョイナー１４の両端に位置する１対の裏片対向面１８にはそれぞれ上下に一定の間隔に複数個の係合フック１５を設けている。この係合フック１５は、図７，８に示すように、ジョイナー１４を切り起こして形成され、前面側に水平に突出した水平片１９と、上記水平片１９の前端から裏片対向面１８に向って斜め下方に向って垂下する垂下片２０と、上記垂下片２０の下端から前方斜め下方に垂下するガイド片２２とを有して構成されるものである。なお、上記ガイド片２２の下端で裏片対向面１８に弾接する部位を弾接部２１とする。そして、上記係合フック１５においては、一方の裏片対向面１８に設けた係合フック１５は上下に長く形成した長係合フック１５ａで構成すると共に、他方の裏片対向面１８に設けた係合フック１５は上記長係合フック１５ａに比べて上下に短く形成した短係合フック１５ｂで構成してある。ここで、長係合フック１５ａと短係合フック１５ｂとの関係は、長係合フック１５ａ及び短係合フック１５ｂはジョイナー１４の同高さ位置に設けるものであって、長係合フック１５ａの弾接部２１が短係合フック１５ｂのガイド片２２下端よりも下方位置に位置するような位置関係を有するものである。
【００１２】
接続ブロック１１は、図１に示すように、上面視Ｌ字状の底片２３（図６）を有すると共に、上記底片２３の左右両端部に上方突出した立設部２４をそれぞれ配置し、上記立設部２４の前端部分に上方突出した接続突起１３を設けると共に上記接続突起１３の後方に凹溝２７を介在させて倒れ防止突起１６を上方突設し、上記立設部２４の後端部分に下方に湾曲させて形成した引掛けフック１２を備え、また、上記立設部２４の前端同士を連結させる水返し片３０を設けて構成されたものである。ここで、倒れ防止突起１６は少なくとも引掛けフック１２よりも上方に突出され、後述する一方の壁パネル１に仮止めされたジョイナー１４の下端の裏方への移動規制を行うものであり、また、水返し片３０は接続ブロック１１を所定位置に配置した際に壁パネル１の裏側への水の侵入を防止するものである。なお、接続突起１３の上部には突出先端に行く程上記接続突起１３が尖るような傾斜面２６を設けてあり、また、倒れ防止突起１６の上部には上端に行く程裏方に位置するような傾斜面２５を設けてある。
【００１３】
床パン２の端縁部分３におけるコーナー部に直交させて隣接配置させる１対の壁パネル１を上述したジョイナー１４，接続ブロック１１を介して連結させるには先に発明者が考案した技術同様に以下のような施工作業により行われる。
【００１４】
まず、床パン２の端縁部分３におけるコーナー部に接続ブロック１１を載置固定する。具体的には、図２に示すように、床パン２のコーナー部分で直交する起立片１７にそれぞれ接続ブロック１１の引掛けフック１２を係合させると共に接続ブロック１１の底片２３を床パン２の台状の端縁部分３上面に載置し、このとき接続ブロック１１の底片２３の下面に備えた両面テープの保護テープ２８を取り外して床パン２の台状の端縁部分３に亙って貼着されたパッキン４に上記両面テープを介して接続ブロック１１の底片２３を貼着することで床パン２の端縁部分３におけるコーナー部に接続ブロック１１を載置固定する。
【００１５】
次に、床パン２の起立片１７に沿わせると共に床パン２の端縁部分３に載置させて壁パネル１を配置する。なお、床パン２の端縁部分３におけるコーナー部には最終的に１対の壁パネル１を直交させて配置させるが、まず、上記１対の壁パネル１のうち一方の壁パネル１を配置する。具体的には、図３に示すように、壁パネル１の裏面に設けた引掛けフック１０を床パン２の起立片１７に係合させると共に、床パン２の端縁部分３のコーナー部に位置させた壁パネル１の側端部つまり縦枠５の側片６、裏片７、フランジ片８とで囲う内部空間２９に接続ブロック１１の接続突起１３を嵌めることで、一方の壁パネル１を所定位置に立設する。このとき、接続ブロック１１の凹溝２７には壁パネル１の縦枠５の裏片７が位置している。
【００１６】
次に、床パン２の端縁部分３に接続ブロック１１を介して立設させた一方の壁パネル１にジョイナー１４を仮止めさせる。具体的には、図４に示すように、ジョイナー１４を一方の壁パネル１の裏側に配置し、このとき、ジョイナー１４の裏片対向面１８を縦枠５の裏片７に対向させるようにし、そして、ジョイナー１４の長係合フック１５ａを裏片７の係合孔９に挿入し、長係合フック１５ａの弾接部２１を係合孔９の下縁に係止させることで、ジョイナー１４を一方の壁パネル１に仮止めさせる［図７（ａ）］。ここで、仮止めされたジョイナー１４にあっては、一方の壁パネル１に吊持されて宙に浮いた状態になっており、その下端は接続ブロック１１の倒れ防止突起１６の前面側に位置している（図５）。つまり、仮止めされたジョイナー１４は、その下端が倒れ防止突起１６の前面側に位置していることから、上記倒れ防止突起１６により裏方への移動規制が為されて仮止めされているのである。このようにジョイナー１４の下端を倒れ防止突起１６の前面側に位置させるようにジョイナー１４を一方の壁パネル１に仮止めさせるにあたっては、ジョイナー１４は壁パネル１の裏側から接続ブロック１１の倒れ防止突起１６を超えさせて壁パネル１に近接させるものであるが、上述したように倒れ防止突起１６の上部には凹溝２７に向って傾斜する傾斜面２５が形成されているため、ジョイナー１４の下端を倒れ防止突起１６の傾斜面２５に沿わせて上方から下方にスライドさせることで、ジョイナー１４を倒れ防止突起１６の前面側にスムーズに配置可能にしている。
【００１７】
次に、他方の壁パネル１を、図５に示すように、一方の壁パネル１に対して直交させると共に上記壁パネル１の側端部同士を隣接させ、床パン２の端縁部分３におけるコーナー部の所定位置に配置する。なお、この他方の壁パネル１にも一方の壁パネル１同様に裏面に引掛けフック１２が備えられており、上記引掛けフック１２を床パン２の起立片１７に係合させると共に床パン２の台状の端縁部分３の上に載置させ、他方の壁パネル１の側端部つまり縦枠５を接続ブロック１１の接続突起１３に嵌めることで、他方の壁パネル１の床パン２の端縁部分３におけるコーナー部への配置が行われる。この状態で１対の壁パネル１の下端部分は接続ブロック１１を介して接続される。なお、床パン２の端縁部分３におけるコーナー部に配置した他方の壁パネル１と一方の壁パネル１に仮止めしたジョイナー１４との関係にあっては、上述したジョイナー１４の長係合フック１５ａ及び短係合フック１５ｂの位置関係により、他方の壁パネル１の縦枠５の裏片７に設けた係合孔９にジョイナー１４の短係合フック１５ｂが挿通された状態になる［図７（ｂ）］。
【００１８】
次に、一方の壁パネル１に仮止めしたジョイナー１４を、例えば木槌等の工具３２を用いてスライド下降させることで、長係合フック１５ａ及び短係合フック１５ｂが１対の壁パネル１のそれぞれの係合孔９の下縁部分に係合され、１対の壁パネル１の縦枠５の裏片７同士がジョイナー１４を介して接続される（図８）。このスライド下降させたジョイナー１４にあってはその下端が凹溝２７内に位置されるものであって、同じく凹溝２７内に位置した壁パネル１の縦枠５の裏片７によって上記ジョイナー１４は挟持されるものである。このような施工作業により、床パン２の端縁部分３におけるコーナー部に直交させて隣接配置させる１対の壁パネル１が、ジョイナー１４、接続ブロック１１を介して連結されるのである。
【００１９】
さて、上述した施工作業にあっては先に本発明者が考案した技術と略同様の施工作業であることから、一方の壁パネル１に仮止めしたジョイナー１４に近接させるように他方の壁パネル１を床パン２の端縁部分３のコーナー部に配置する際には、依然として作業位置である他方の壁パネル１の前面側からは他方の壁パネル１の配置位置を目測しにくいものであり、従って、施工作業者は誤って他方の壁パネル１をジョイナー１４に対して強く裏方に押し込んでしまう場合がある。本例において一方の壁パネル１に仮止めしたジョイナー１４にあっては、接続ブロック１１に設けた倒れ防止突起１６の前面側に上記仮止めしたジョイナー１４の下端を位置させているので、施工作業者が他方の壁パネル１を仮止めされたジョイナー１４に対して強く裏方に押し込んでしまった際にも、上記ジョイナー１４は倒れ防止突起１６により裏方への移動が規制され、つまり倒れ防止突起１６がジョイナー１４の裏方への移動規制をするストッパーとして機能するものであるから、上記ジョイナー１４が一方の壁パネル１への仮係合部分を中心とした回動をしてしまってジョイナー１４が一方の壁パネル１から外れてしまうことが防止されるものであり、施工性の向上が図られているものである。
【００２０】
【発明の効果】
本発明の請求項１記載の壁パネルの接続構造にあっては、叙述したように、一方の壁パネルの裏側にジョイナーを仮止めした場合には、ジョイナーの下端を倒れ防止突起の前側に位置させたことで、仮止めしたジョイナーに他方の壁パネルを近接させた際に施工作業者が目測を誤って他方の壁パネルをジョイナーに対して裏方に強く押し込んでしまっても、上記仮止めされたジョイナーはその下端が上記倒れ防止突起の前面に当接され、つまり倒れ防止突起がジョイナーの裏方への移動規制をするストッパーとして機能するものであるから、上記一方の壁パネルに仮止めされたジョイナーがその仮止めされた部分を中心とした回動をしてしまって上記ジョイナーが一方の壁パネルから外れてしまうといったことが防止されるものであり、施工性の向上が図られているものである。また、１対の壁パネルに本係合したジョイナーを本係合した場合には、ジョイナーの下端を壁パネルの側端部の裏片と共に凹溝内に位置させ、ジョイナーの下端と壁パネルの側端部とを一緒に接続突起と倒れ防止突起とで挟持できるのである。
【００２１】
また、本発明の請求項２に係る壁パネルの接続構造にあっては、請求項１の効果に加えて、上記倒れ防止突起の上部には上端に行く程裏方に位置するような傾斜面を設けたので、一方の壁パネルにジョイナーを仮止めする際に上記ジョイナーの下端を接続ブロックの凹溝に位置させるにあたって、ジョイナーの下端を倒れ防止突起の傾斜面に沿わせて上方から下方にスライドさせることでジョイナーの下端を倒れ防止突起の前面側にスムーズに配置させることができるのである。
【図面の簡単な説明】
【図１】本発明の実施の形態の例における接続ブロックを示す斜視図である。
【図２】同上の１対の壁パネルの接続施工を説明するものであり、床パンの端縁部分におけるコーナー部に接続ブロックを設置する状態を示す斜視図である。
【図３】同上の１対の壁パネルの接続施工を説明するものであり、床パンの端縁部分におけるコーナー部に一方の壁パネルを配置する状態を示す斜視図である。
【図４】同上の１対の壁パネルの接続施工を説明するものであり、床パンの端縁部分におけるコーナー部に配置した一方の壁パネルにジョイナーを配置する状態を示す斜視図である。
【図５】同上の１対の壁パネルの接続施工を説明するものであり、床パンの端縁部分におけるコーナー部に配置した一方の壁パネルに仮止めしたジョイナーに他方の壁パネルを近接させる状態を示す斜視図である。
【図６】同上の床パンの端縁部分におけるコーナー部に一方の壁パネルを配置した状態の上面図である。
【図７】同上のジョイナーと壁パネルとの仮係止状態を示した側面断面図であり、（ａ）は長係合フックの係合孔への仮係止状態を示すものであり、（ｂ）は短係合フックが係合孔に挿入位置した状態を示すものである。
【図８】同上のジョイナーと壁パネルとの連結状態を示した側面断面図であり、（ａ）は長係合フックの係合孔への係合状態を示すものであり、（ｂ）は短係合フックの係合孔への係合状態を示すものである。
【図９】従来技術の例を示すものであり、Ｌ型ジョイナーを用いて壁パネルを接続させた状態を示す壁パネル裏方からの斜視図である。
【図１０】上記従来技術の問題点を受けて発明者が考案した壁パネルの接続構造であって、１対の壁パネルの接続施工を説明するものであり、床パンの端縁部分におけるコーナー部に配置した一方の壁パネルにジョイナーを配置する状態を示す斜視図である。
【図１１】同上の発明者が考案した壁パネルの接続構造であって、１対の壁パネルの接続施工を説明するものであり、床パンの端縁部分におけるコーナー部に配置した一方の壁パネルに仮止めしたジョイナーに他方の壁パネルを近接させる状態を示す斜視図である。
【符号の説明】
１  壁パネル
２  床パン
３  端縁部分
５  縦枠
７  裏片
９  係合孔
１１  接続ブロック
１３  接続突起
１４  ジョイナー
１５  係合フック
１５ａ  長係合フック
１５ｂ  短係合フック
１６  倒れ防止突起
１８  裏片対向面
２５  傾斜面
【図１】
0003601482.tif 000002
【図２】
0003601482.tif 000003
【図３】
0003601482.tif 000004
【図４】
0003601482.tif 000005
【図５】
0003601482.tif 000006
【図６】
0003601482.tif 000007
【図７】
0003601482.tif 000008
【図８】
0003601482.tif 000009
【図９】
0003601482.tif 000010
【図１０】
0003601482.tif 000011
【図１１】
0003601482.tif 000012